(57)【要約】      （修正有）【課題】広告付き芯、特に効果的に回収することが可能な広告付き芯を提供する。【解決手段】トイレットペーパー、ラップ、アルミホイル、キッチンペーパーの何れかが巻かれた芯であって、前記芯の表面に店名又は会社名と広告内容が記載されたことを特徴とする広告付き芯の構成とし、前記広告内容として、芯の回収対価が記載されていること記載されていることを特徴とする前記記載の広告付き芯の構成とし、さらに、前記広告内容として、商品又はサービスの割引額或いは割引率が記載されていることを特徴とする前記記載の広告付き芯の構成とした。【選択図】図１
0003144636.tif 000002
【実用新案登録請求の範囲】
【請求項１】
トイレットペーパー、ラップ、アルミホイル、キッチンペーパーの何れかが巻かれた芯であって、前記芯の表面に店名又は会社名と広告内容が記載されたことを特徴とする
広告付き芯。
【請求項２】
前記広告内容として、芯の回収対価が記載されていること記載されていることを特徴とする請求項１に記載の広告付き芯。
【請求項３】
前記広告内容として、商品又はサービスの割引額或いは割引率が記載されていることを特徴とする請求項１又は請求項２に記載の広告付き芯。
【請求項４】
前記芯が、紙製であることを特徴とする請求項１〜請求項３の何れかに記載の広告付き芯。
【考案の詳細な説明】
【技術分野】
【０００１】
本考案は、広告付き芯に関する考案である。
【背景技術】
【０００２】
従来、アルミホイルやサランラップ（登録商標）等の芯は硬い筒状のダンボールが使用されていた。
【０００３】
しかしながら、従来のティッシュペーパー等に使用されていたケースやアルミホイル等の芯は再生紙の原料となるにもかかわらず他の燃えるゴミと一緒に捨てられてしまっており、回収が難しいものであった。
【考案の開示】
【考案が解決しようとする課題】
【０００４】
そこで、広告付き芯、特に効果的に回収することが可能な広告付き芯を提供することを目的とするものである。
【課題を解決するための手段】
【０００５】
本考案は、上記の課題を解決するために、トイレットペーパー、ラップ、アルミホイル、キッチンペーパーの何れかが巻かれた芯であって、前記芯の表面に店名又は会社名と広告内容が記載されたことを特徴とする広告付き芯の構成とし、前記広告内容として、芯の回収対価が記載されていること記載されていることを特徴とする前記記載の広告付き芯の構成とし、さらに、前記広告内容として、商品又はサービスの割引額或いは割引率が記載されていることを特徴とする前記記載の広告付き芯の構成とし、前記芯が、紙製であることを特徴とする前記何れかに記載の広告付き芯の構成とした。
【考案の効果】
【０００６】
本考案の広告付き芯についても表面に特典の受けることができる広告を印刷することで上記ケースのように利用者は特典を受けることができ、回収者は効率よく芯を回収することができる。
【考案を実施するための最良の形態】
【０００７】
効率よく回収することができ、広告効果も高い広告付き芯を提供する目的を、芯の表面に広告等を印刷することにより実現した。
【実施例１】
【０００８】
先ず、本校案と同様の手法により効率的に紙資源を回収する広告付きケースについて説明する。図１は広告付きケースの斜視図である。図１に示すように、広告付きケース１は、内部にティッシュ３を備えたティッシュボックス２と前記ティッシュボックス２内に差し込み使用する割引券４とからなる。
【０００９】
前記割引券４はティッシュボックス２の底に入れられており、利用者はティッシュ３を最後まで使用した後に割引券４を発券することができる。但し、この割引券４についてはティッシュボックス２内に差し込み、ティッシュ３の上部や中間部に入れも構わない。
【００１０】
前記ティッシュボックス２の左右側面２ｃ、２ｄには通常切り広げ可能な片２ｈ、２ｈを有する差込孔２ｇが形成されており、これは残り少なくなったティッシュ３を取り出しやすくするためのものであるが、この片２ｈに割引広告や得点などを記載してもよい。前記片２ｈに得点を記載した場合、集めた得点に応じて景品交換等に利用できる。
【実施例２】
【００１１】
図２は、広告付きケースの第２実施例の斜視図である。広告付きケース１ａは、内部にティッシュ３を備えたティッシュボックス２と前記ティッシュ３内に一定枚数毎に挿入された色つきティッシュ３ａとからなる。
【００１２】
前記色つきティッシュ３ａはティッシュボックス２の中に１枚だけ入れておいてもよく、また通常のティッシュ１００枚毎等のように、一定の枚数毎に入れてもよい。更に挿入間隔を決めずにランダムに複数枚入れておいても構わない。
【００１３】
そして、色つきティッシュ３ａについては、商品の割引券としたり、複数枚集めることで特典を与えたりと、特別な効果を与えておくことで、集客や古紙の回収を効率よく行うことに利用することができる。
【００１４】
また、図２に示すように、広告付きケース１ａにおいてもティッシュボックス２の左右側面２ｃ、２ｄには切り広げ可能な片２ｈが形成されているため、実施例１で示したように割引広告や得点などを記載して色つきティッシュ３ａと併用しても構わない。更に、ティッシュボックス２に差し込まれる割引券４を併用することも可能である。
【実施例３】
【００１５】
図３は、広告付きケースの第３実施例の斜視図である。図３に示すように、広告付きケース１ｂは、内部にティッシュ３を備えたティッシュボックス２と前記ティッシュボックス２の正面２ａ、背面２ｂ及び左右側面２ｃ、２ｄに印刷された広告２ｉとからなる。
【００１６】
前記広告２ｉは切り取って各該当店舗等で割引や特典を受けることができる。また、単に割引等の内容ではない広告であってもティッシュ３を使い切るまでの長い間は人目に付く場所に置かれているため、日々配達される折込広告よりも長期間に渡った広告効果が得られる。
【００１７】
尚、広告付きケース１ｂについても、実施例１及び実施例２で示した片２ｈ、割引券４、色つきティッシュ３ａ等を併用してもよい。
【実施例４】
【００１８】
図４は、広告付きケースの第４実施例の斜視図である。図４に示すように広告付きケース１ｃは、複数個のティッシュボックス２からなり、前記複数のティッシュボックス２の正面２ａにそれぞれ全体として広告となる広告片５ａ〜５ｅを各ティッシュボックス２に印刷し、印刷された複数のティッシュボックス２、２、２、２・・・・を積み重ねると一つの広告５が完成する。
【００１９】
前記各ティッシュボックス２はティッシュ３が収納されていて、左右側面２ｃ、２ｄには切り広げ可能な片２ｈを有する差込孔２ｊが形成されている。また、任意の面（図４では正面２ａ）には広告５を形成する広告片５ａ（５ｂ〜５ｅ）が印刷されている。
【００２０】
前記ティッシュボックス２を重ねる際に、広告片５ａ〜５ｅが順番に重ねると、複数のティッシュボックス２を積み重ねたり並べることにより一つの所望の広告５が完成する。
【００２１】
前述のように、各ティッシュボックス２に印刷される広告範囲には限度があるため、このように複数個のティッシュボックス２を利用することでより広い範囲に広告を記載することができる。
【００２２】
また、使い終わったティッシュボックス２を複数個揃えて広告５を完成させている利用者に対しては通常よりも内容の良い特典を与えることで、やはり効率よい集客や古紙回収が可能となる。
【００２３】
尚、広告付きケース１ｃについても、実施例１乃至実施例３で示した差込孔２ｊの片２ｈ、割引券４、色つきティッシュ３ａ、広告２ｉ等を併用してもよい。
【実施例５】
【００２４】
図５は、広告付きケースの第５実施例の斜視図である。図５に示すように広告付きケース１ｄは、第４実施例で示した広告付きケース１ｃと同じである。
【００２５】
即ち、広告付きケース１ｄは、複数個のティッシュボックス２と、前記ティッシュボックス２の正面２ａに分割して印刷された広告片６ａ〜６ｅからなる広告６とからなる。広告５と広告６の内容が異なっている。
【００２６】
実施例１から実施例５に示した各広告付きケース１〜１ｄを構成するティッシュボックス２に広告を印刷する面については、特に限定しておらず、正面２ａ、背面２ｂ、左右側面２ｃ、２ｄ、上面２ｅ及び底面２ｆの全ての面を利用することができる。尚、符号２ｇについてはティッシュ３を引き出すための取り出し孔２ｇを示している。
【実施例６】
【００２７】
図６は、広告付きケースで入れる割引券を示す図である。図６に示すように、広告付きケース１〜１ｄで使用する割引券４には中央付近にお食事割引券であるとのタイトル４ａ及び発行年月日、発行店等の内容４ｂが記載されており、その他会社名４ｃや発行印４ｄ、有効期限４ｅ等の情報が記載されている。
【００２８】
前記タイトル４ａは、その割引券４の種類が明白に分かるようなものが望ましく、図６に示したような「お食事割引券」等の表記が好ましい。また、内容４ｂについては、タイトル４ａを踏まえ、具体的にどのような特典を得ることが可能であるかを簡潔に示していることが望ましい。図６では「２００円分の食事代金の割引が可能」であることが分かる。但し、タイトル４ａや内容４ｂについては特に記載の制限はなく、発行する会社や店舗が自由に決めることができる。
【００２９】
前記会社名４ｃは割引券を使用できる店舗を示している。また、偽造防止の為に発行印４ｃを押印しておくことで、正規の割引券であることが分かる。更に、有効期限４ｅを決めることで一定期間内に集客と古紙回収を見込むことができる。
【実施例７】
【００３０】
図７は、本考案である広告付き芯の斜視図である。図７に示すように、本考案である広告付き芯７は、表面に会社名８ａ及び広告内容８ｂが記載された芯８とからなる。この芯７を１０本集めて持参すると１０円が割り引き（割引され安くなる）されること表示した「１０本１０円」も表示されている。
【００３１】
一般の燃えるゴミと一緒に捨てられているトイレットペーパーの芯も回収することで再生紙の原料とすることができるため、使い終わった後に残る芯８に広告や回収内容８ｂを記載することで一般の燃えるゴミとは別に回収することができる。
【００３２】
芯８に印刷する内容については、あまりスペースが無いため図７に示すように、会社名８ａと内容８ｂだけであってもよく。また、簡単な広告を記載することも可能であり、特に限定はしていない。
【実施例８】
【００３３】
図８は、本考案である広告付き芯の斜視図である。図８に示すように、本考案である広告付き芯７ａは、前記実施例７の広告付き芯７とほぼ同じである。即ち、表面に会社名９ａや広告９ｂが印刷された長めの芯９からなる。
【００３４】
図８に示すように、芯９は実施例７の芯８よりも長いため、より多くの情報を記載することができる。従って、会社名９ａ及び広告９ｂ以外にも情報を記載することが可能である。
【００３５】
但し、広告付き芯７、７ａはトイレットペーパー芯やサランラップ芯に限定したものではなく、アルミホイルやキッチンペーパー等の芯であってもよい。
【図面の簡単な説明】
【００３６】
【図１】広告付きケースの斜視図である。
【図２】広告付きケースの第２実施例の斜視図である。
【図３】広告付きケースの第３実施例の斜視図である。
【図４】広告付きケースの第４実施例の斜視図である。
【図５】広告付きケースの第５実施例の斜視図である。
【図６】広告付きケースで使用する割引券を示す図である。
【図７】本考案である広告付き芯の斜視図である。
【図８】本考案である広告付き芯の斜視図である。
【符号の説明】
【００３７】
１      広告付きケース
１ａ    広告付きケース
１ｂ    広告付きケース
１ｃ    広告付きケース
１ｄ    広告付きケース
２      ティッシュボックス
２ａ    正面
２ｂ    背面
２ｃ    左側面
２ｄ    右側面
２ｅ    上面
２ｆ    底面
２ｇ    取り出し孔
２ｈ    片
２ｉ    広告
２ｊ    差込孔
３      ティッシュ
３ａ    色つきティッシュ
４      割引券
４ａ    タイトル
４ｂ    内容
４ｃ    会社名
４ｄ    発行印
４ｅ    有効期限
５      広告
５ａ〜５ｅ  広告片
６      広告
６ａ〜６ｅ  広告片
７      広告付き芯
７ａ    広告付き芯
８      芯
８ａ    会社名
８ｂ    内容
９      芯
９ａ    会社名
９ｂ    広告
【図１】
0003144636.tif 000003
【図２】
0003144636.tif 000004
【図３】
0003144636.tif 000005
【図４】
0003144636.tif 000006
【図５】
0003144636.tif 000007
【図６】
0003144636.tif 000008
【図７】
0003144636.tif 000009
【図８】
0003144636.tif 000010